(57)【特許請求の範囲】
【請求項１】
粘性液を収納したカップ状のケースと、減衰板が上記粘性液に浸るように取付けたスタッドと、上記ケースの上部と上記スタッドとを連結して、上記粘性液を密封する弾性体からなる液体封入式マウントにおいて、
上記スタッドと、上記スタッドの下部に装着した減衰板と、取付け板と円筒部とを備えた筒状ケースと、中心部に上記スタッドを固着し、その外側に上記筒状ケースの円筒部を挟み込むように固着して一体化した弾性体とから弾性体部を構成し、この弾性体部を上記ケースに挿入し密着させて固定したことを特徴とする液体封入式マウント。
【請求項２】
上記弾性体部は、筒状ケースの外周に位置する弾性体面が、ケースの内面と密着してシールすることを特徴とする請求項１記載の液体封入式マウント。
【請求項３】
上記弾性体部は、筒状ケースの外周に位置する弾性体面にテーパーが設けられていることを特徴とする請求項１又は２記載の液体封入式マウント。
【請求項４】
上記ケースは、固定用爪を有し、筒状ケース取付け板に折り曲げて固定したことを特徴とする請求項１乃至３記載の液体封入式マウント。
【請求項５】
上記筒状ケースの取付け板と上記ケースに設けた取付け板を重ねて、車体に共締めにより取付けたことを特徴とする請求項１乃至４記載の液体封入式マウント。
【請求項６】
スタッドと、上記スタッドの下部に装着した減衰板と、取付け板と円筒部とを備えた筒状ケースと、中心部に上記スタッドを固着し、その外側に筒状ケースの円筒部を挟み込むように固着し、弾性体部として一体に形成する第１の工程と、上記弾性体部の弾性体の外側側面がカップ部の内側側面に密着するようケースのカップ部に、上記弾性体部を挿入する第二の工程と、固定手段によって、ケースと筒状ケースとを一体に固定する第三の工程からなることを特徴とする液体封入式マウントの製造方法。
【請求項７】
請求項６記載の製造方法において、上記固定手段は、ケースに設けられた固定用爪によることを特徴とする液体封入式マウントの製造方法。
【発明の詳細な説明】
【０００１】
【発明の属する技術分野】
本発明は、パワーシャベルなどの建設機械のキャブを車体上に保持する防振用の液体封入式マウントに関する。
【０００２】
【従来の技術】
現在、建設機械のキャブは、快適な居住性と操作性、更に、人に優しく柔らかな丸みのあるデザインまでも要求されている。また、建設機械の走行速度のスピードアップにより、キャブの振動を改善するため、ゴムマウントを越えたより高性能なキャブマウントが必要になっている。
【０００３】
図７は、従来の液体封入式マウントを示す断面図である。図において、１は、ケースであり、このケース１は、取付け板部２、下方に鍔部３Ａを持つ円筒部３、およびシリコンオイルなどの粘性液４が納められたカップ部５から構成する。
【０００４】
そして、上記取付け板部２は、中心部に結合穴２Ａおよび取付け穴２Ｂを持っている。そして、この結合穴２Ａには、円筒部３の一端が挿入され溶接６により一体に固定される。
【０００５】
また、上記カップ部５は、その上側縁部５Ａで上記円筒部３の鍔部３Ａとかしめなどにより、一体に固定される。７は、植込みボルトであり、この植込みボルト７の下端には、減衰板８がボルト９により固定されている。この減衰板８の上側には、弾性体のストッパ部８Ａが設けられている。
【０００６】
１０は、栓であり、この栓１０は、上記カップ部５に入れられる粘性液４を注入するための注入口５Ｂに嵌め込まれる。１１は、中央穴１１Ａを備えた筒状弾性体であり、この中央穴１１Ａには、上記植込みボルト７が挿入されて、焼付接着により固定される。
【０００７】
なお、上記筒状弾性体１１の外周面と上記円筒部３の内周面とは焼付接着により固定される。また、この筒状弾性体１１の張り出し部１１Ｂの下面と取付け板２の上面とは、焼付接着により固定される。また、植込みボルト７の他端には、図示せぬキャブが取付けられている。また、この液体封入式マウントは、図示せぬ車体に取付け板２の取付け穴２Ｂを用いて固定される。
【０００８】
次に、上記構成の液体封入式マウントの緩衝動作について説明する。まず、図示せぬ建設機械の運転により、図示せぬ車体に振動が加わると、この振動は、ケース１に伝わる。このため、このケース１が振動により動くため、粘性液４がかきまわされる。このとき、粘性液４の粘性抵抗と減衰板８により、緩衝作用が働き、振動が減衰し、キャブに伝わる振動を少なくすることができる。なお、キャブの荷重は、筒状弾性体１１で受けることができる。
【０００９】
【発明が解決しようとする課題】
しかしながら、従来の液体封入式マウントは、外部からの衝撃や取り扱いが悪く床に落としたとき、栓１０がケース１の下面にあるため、栓１０が抜けて、粘性液４が漏れたり、あるいは、上記カップ部５の上側縁部５Ａと上記円筒部３の鍔部３Ａとのかしめ部分がゆるむ可能性があり、シール性が低下するなどの問題点があった。
【００１０】
本発明の目的は、構造を簡単としながらもシール性を大幅に向上することができる液体封入式マウントを提供するものである。
【００１１】
【課題を解決するための手段】
上記の目的を達成するために、請求項１記載の発明は、粘性液を収納したカップ状のケースと、減衰板が上記粘性液に浸るように取付けたスタッドと、上記ケースの上部と上記スタッドとを連結して、上記粘性液を密封する弾性体からなる液体封入式マウントにおいて、上記スタッドと、上記スタッドの下部に装着した減衰板と、取付け板と円筒部とを備えた筒状ケースと、中心部に上記スタッドを固着し、その外側に上記筒状ケースの円筒部を挟み込むように固着して一体化した弾性体とから弾性体部を構成し、この弾性体部を上記ケースに挿入し密着させて固定したこととしたものである。さらに、請求項２記載の発明は、請求項１記載の発明に加えて、上記弾性体部は、筒状ケースの外周に位置する弾性体面が、ケースの内面と密着してシールすることとしたものである。さらに、請求項３記載の発明は、請求項１又は２記載の発明に加えて、上記弾性体部は、筒状ケースの外周に位置する弾性体面にテーパーが設けられていることとしたものである。さらに、請求項４記載の発明は、請求項１乃至３記載の発明に加えて、上記ケースは、固定用爪を有し、筒状ケース取付け板に折り曲げて固定したこととしたものである。さらに、請求項５記載の発明は、請求項１乃至４記載の発明に加えて、上記筒状ケースの取付け板と上記ケースに設けた取付け板を重ねて、車体に共締めにより取付けたことこととしたものである。また、請求項６記載の発明は、液体封入式マウントの製造方法において、スタッドと、上記スタッドの下部に装着した減衰板と、取付け板と円筒部とを備えた筒状ケースと、中心部に上記スタッドを固着し、その外側に筒状ケースの円筒部を挟み込むように固着し、弾性体部として一体に形成する第１の工程と、上記弾性体部の弾性体の外側側面がカップ部の内側側面に密着するようケースのカップ部に、上記弾性体部を挿入する第二の工程と、固定手段によって、ケースと筒状ケースとを一体に固定する第三の工程からなることとしたものである。さらに、請求項７記載の発明は、請求項６記載の製造方法において、上記固定手段は、ケースに設けられた固定用爪によることとしたものである。
【００１２】
上記弾性体部とは、スタッドと、上記スタッドの下部に装着した減衰板と、取付け板と円筒部とを備えた筒状ケースと、中心部に上記スタッドを固着し、その外側に上記筒状ケースの円筒部を挟み込むように固着して一体化した弾性体とから構成される。
本発明によれば、弾性体部を一体に形成することにより、構造を簡単化しながら、カップ状のケースと弾性体部の外側面との密着により、液漏れを防止することができる。
また、上記弾性体部は、筒状ケースの外周に位置する弾性体面にケースの折り曲げ部にテーパー状の弾性体を設けることにより、筒状ケースの折り曲げ部とケースの折り曲げ部間に挟まれて圧縮されるので、密着し、液漏れを完全に防止することができる。
また、ケースに設けた固定用爪によって、筒状ケースを簡単な手段で一体に固定することができる。
また、筒状ケースの取付け板とケースの取付け板を一体として扱うことができるため、筒状ケースとケースを強固に結合することができるとともに、厚材を使用することなく、高い強度を有する取付け部位とすることができる。
【００１３】
【発明の実施の形態】
図１は本発明に係る液体封入式マウントの一実施例を示す断面図である。図において、１３は、ケースであり、このケース１３は、その斜視図を図３に示すように、カップ部１３Ａと、取付け穴１３Ｂおよび固定用爪１３Ｃを持った取付け板１３Ｄとから構成される。１４は、スタッドであり、このスタッド１４は、その詳細な断面図および平面図を図４Ａ、４Ｂに示すように、軸方向には粘性液５を注入するための貫通穴１４Ａおよびネジ穴１４Ｂが設けられている。
【００１４】
１５は、減衰板であり、この減衰板１５は、図１および図４に示すように、中心部に透穴１５Ａが設けられている。そして、この透穴１５Ａに、上記スタッド１４の一端が挿入され、かしめなどの手段により一体に固定する。
【００１５】
１６は、筒状ケースであり、この筒状ケース１６は、その詳細な斜視図を図５Ａ、図５Ｂに示すように、円筒部１６Ａと、取付け穴１６Ｂを持った取付け板１６Ｃとから構成される。１７は、ゴムなどの弾性体であり、この弾性体１７は、図１および図６に示すように、上記筒状ケース１６を包み込んで形成される。この弾性体１７の下面には、凹み１７Ａが形成され、粘性液４の流れを複雑にする。
【００１６】
１８は、植込みボルトであり、この植込みボルト１８の一端には、ねじ１８Ａが切られており、このねじ１８Ａを用いて図示せぬキャブが固定される。また、この植込みボルト１８の他端には、ねじ１８Ｂが切られており、このねじ１８Ｂは、スタッド４のネジ穴１４Ｂにネジ止めされる。
【００１７】
１９は、回り止めピンであり、この回り止めピン１９は、上記スタッド１４の上側に取付けられている。なお、上記弾性体１７の外周面１７Ｂは、テーパーが設けられており、上記ケース１３のカップ部１３Ａの内面に密着することができる。また、この弾性体１７の上面周縁部がキャブのストッパとして作用し、下面周縁部が減衰板１５のストッパとして作用する。
【００１８】
次に、上記構成の液体封入式マウントの組み立て動作について説明する。まず、焼付け接着などの手段により、中心部にスタッド１４を固着し、中間部に筒状ケース１６の筒状部１６Ａを包み込むように固着した弾性体１７作成する。そして、このスタッド１４の他端に減衰板１５をかしめなどの手段により固着することにより、図６に示すように、スタッド１４、減衰板１５、筒状ケース１６、および弾性体１７が一体化された弾性体部を形成する。次に、この弾性体部をケース１３のカップ部１３Ａに挿入し、弾性体１７のテーパー状の外側側面がカップ部１３Ａの内側側面に密着する。
【００１９】
そして、ケース１３の固定用爪１３Ｃを、筒状ケース１６の取付け板１６Ｃの側面を包み込むようにして折り曲げて、かしめることにより、ケース１３と筒状ケース１６とを一体に固定することができる。このとき、弾性体１７のテーパー状の外周部１７Ｂの上端１７Ｂ１は、筒状ケース１６の曲面状の折り曲げ部とケース１３のカップ部１３Ｂの曲面状の折り曲げ部との間に挟まれて圧縮されて、密着し、液漏れを完全に防止することができる。
【００２０】
そして、スタッド１４の中心に設けられた貫通穴１４Ａから粘性液４を注入する。そして、スタッド１４のネジ穴１４Ｂに植込みボルト１８をネジ止めして、粘性液４を封入することができる。そして、この植込みボルト１８の他端を図示せぬキャブに取付ける。
【００２１】
なお、ケース１３の取付け板１３Ｄの取付け穴１３Ｂと筒状ケース１６の取付け板１６Ｃの取付け穴１６Ｂとが一致するため、図示せぬボルトとナットによって、図示せぬ車体に共締めにより、取付けることができる。このため、ケース１３と筒状ケース１６とは、固定用爪１３Ｃを含めて、強固に結合することができる。しかも、ケース１３の取付け板１３Ｄと筒状ケース１６の取付け板１６Ｃとが一体になるため、強度が向上し、従来のような厚い板厚の取付け板を用いる必要がなくなる。
【００２２】
【発明の効果】
以上、詳細に説明したように、本発明に係る液体封入式マウントによれば、スタッド、減衰板、筒状ケース、および弾性体を一体化し、弾性体部として一体として扱うことができる。さらに、ケースのカップ部の構造を簡単にしながらも、弾性体の外側側面とケースのカップ部の内側側面を密着させることにより、強固なシール性を得ることができ、粘性液の漏れを確実に防止することができるなどの効果がある。
【図面の簡単な説明】
【図１】本発明に係る液体封入式マウントの一実施例を示す断面図である。
【図２】図１の平面図である。
【図３】図１に示すケースの詳細な斜視図である。
【図４】図１に示すスタッドと減衰板を示す詳細な断面図および平面図である。
【図５】図１に示す筒状ケースを上面から見た詳細な斜視図および下面から見た詳細な斜視図である。
【図６】図１に示す弾性体部の断面図である。
【図７】従来の液体封入式マウントを示す詳細な断面図である。
【符号の説明】
１３  ケース
１３Ａ  カップ部
１３Ｂ  取付け穴
１３Ｃ  固定用爪
１４  スタッド
１４Ａ  貫通穴
１４Ｂ  ネジ穴
１５  減衰板
１６  筒状ケース
１６Ａ  円筒部
１６Ｃ  取付け板
１７  弾性体
１８  植込みボルト
１８Ａ  ねじ
１８Ｂ  ねじ
１９  回り止めピン
【図１】
0003646262.tif 000002
【図２】
0003646262.tif 000003
【図３】
0003646262.tif 000004
【図４】
0003646262.tif 000005
【図５】
0003646262.tif 000006
【図６】
0003646262.tif 000007
【図７】
0003646262.tif 000008